(57)【要約】      （修正有）【課題】隠し模様である潜像の肉眼による視認を困難とし、高性能複写機であっても複写物に確実に隠し模様を現出させることによって原本と複写物との識別を容易にし、複写によって現出した潜像が明瞭に判別できる複写抑止ノートを提供する。【解決手段】複写抑止ノートは、不正複写抑止用紙を無線綴じして構成され、用紙は、水平に対して２５〜３５度傾斜させた線幅が０．０２〜０．０６ｍｍの傾斜潜像形成線１が用紙全面に設けられ、この傾斜潜像形成線に小幅の白の万線３を交差させて傾斜潜像形成線を点線とし、潜像部分２において傾斜潜像形成線が４分割されている。傾斜潜像形成線は、藤色であるのが好ましい。【選択図】図１
0003223150.tif 000002
【実用新案登録請求の範囲】
【請求項１】
用紙の全面に水平に対して２５〜３５度傾斜させた線幅０．０２〜０．０６ｍｍの傾斜潜像形成線が設けてあり、この傾斜潜像形成線は白の万線を交差させて点線としてあり、文字、または模様を表す潜像パターン部を除く部分、若しくは、潜像パターン部のいずれか一方の傾斜潜像形成線が４分割されて４本の分割潜像線として網点面積が５％以下としてあり、この用紙が無線綴じしてある複写抑止ノート。
【請求項２】
用紙の全面に水平に対して２５〜３５度傾斜させた線幅０．０２〜０．０６ｍｍの傾斜潜像形成線が設けてあり、更に、文字、または模様を現す潜像パターン部分を除く部分または潜像パターン部分のいずれかの傾斜潜像形成線を４分割して４本の分割潜像線として網点面積を１０％以下としてあり、この用紙が無線綴じしてある複写抑止ノート。
【請求項３】
請求項１または２のいずれかにおいて、傾斜潜像形成線が、藤色、若草色のいずれかである複写抑止ノート。
【考案の詳細な説明】
【技術分野】
【０００１】
本考案は、ノートに記載された内容が複写機などによって不正に複写されるのを抑止するノートに関する。
【背景技術】
【０００２】
カラー複写機の性能の向上は目覚ましいものがあり、複写物であることを見分けることが困難になってきていることから、複写物であることが一目で判別できるようにした偽造抑止手段が施された用紙が種々提案されている。偽造抑止策として知られているものとして、透かし模様、蛍光インキ、及びホログラム等が用いられているが、これらの方法による偽造抑止はコストがかかるので金銭的価値を有する有価証券や公的証明書に用いられるのが一般的である。
潜像による偽造抑止パターンを形成する手法は、特定のパターンを作成して用紙に印刷するものであるので、透かし模様を用紙に形成する方法やホログラムを貼り付ける等の方法に較べてコストが低いというメリットがある。
【０００３】
ＶＨスプリット万線方式で潜像が形成してある印刷物をカラー複写機で複写すると、背景となる非潜像部が、実物（被複写物）の刷色（濁色系）とは異なる黒（墨）色で複写され、文字等の隠し模様である潜像部は、実物の刷色に近い色で再現されるようにすることにより、印刷内容とは無関係な特定の模様が浮かびあがるようにしたものであり、カラーコピーされた複写物が原本ではないことが判別されるようになる。
【先行技術文献】
【特許文献】
【０００４】
【特許文献１】特許第４３８０１０７号公報
【特許文献２】特許第４７０１７３０号公報
【考案の開示】
【考案が解決しようとする課題】
【０００５】
文字や模様であると認識されない隠し文字、例えば「ＣＯＰＹ」や「偽物」、または、隠し模様の潜像が、複写機でコピーした複写物に出現して認識可能となって原本でないことが判別可能となるので偽造複写を抑止する偽造抑止パターンは、一例を挙げると、隠し模様の潜像と背景となる地紋とが異なった網点で構成されており、これを複写機でコピーすると複写物では網点の大小の差が濃度差となり、隠し模様が出現するようにしてある。
【０００６】
網点の大小の差による隠し模様の潜像と背景とで構成される従来の複写偽造抑止用紙では、目が慣れてくると潜像が視認しやすくなり、偽造抑止手段が施されていることが見破られてしまう。
隠し模様の潜像の部分は、ある程度の大きさの面積を必要とするが、潜像部分の面積を大きくすると更に肉眼での視認が容易となってコピー抑止手段が施されていることが容易に認知されてしまう。
【０００７】
本考案は、肉眼による隠し模様の潜像の視認が困難であり、かつ、高性能複写方式の複写機であっても複写物に確実に隠し模様等の潜像を現出させることによってノートに記載された内容をコピーすることを抑止するものである。
【課題を解決するための手段】
【０００８】
用紙の全面に水平に対して２５〜３５度傾斜させた線幅０．０２〜０．０６ｍｍの傾斜潜像形成線が設けてあり、更に、文字、または模様を現す潜像部分を除く部分または潜像部分のいずれかの傾斜潜像形成線が４分割されて４本の分割潜像線として網点面積を１０％以下としてあり、この用紙が無線綴じしてある複写抑止用ノートである。
また、用紙の全面に水平に対して２５〜３５度傾斜させた線幅０．０２〜０．０６ｍｍの傾斜潜像形成線が設けてあり、この傾斜潜像形成線は白の万線を交差させて点線としてあり、文字、または模様を現す潜像パターン部分を除く部分または潜像パターン部のいずれかの傾斜潜像形成線が４分割して４本の分割潜像線として網点面積を５％以下としてあり、この用紙が無線綴じしてある複写抑止ノートである。
【０００９】
傾斜潜像形成線を点線とする白の万線の線幅は０．１６〜０．２０ｍｍ、白の万線の間隔が０．３４〜０．３８ｍｍである複写抑止用紙である。
更に、傾斜潜像形成線は、藤色、藍色、紅色、若草色のいずれかとして肉眼による潜像の確認をしにくくした複写抑止用ノートである。
【考案の効果】
【００１０】
本考案の複写抑止用ノートを高性能のカラー複写機等で複写すると、原本では肉眼で識別できなかった図柄や文字が複写物に出現し、複写物は原本とは異なったものとなり、原本でないことが判別可能となる。
また、本考案の複写抑止ノートの作成には特殊なインキを必要とせず、従来の印刷技術によって印刷できることから、低コストで複写抑止ノートを提供することができる。
従来の網点の大小の差による隠し模様の潜像パターンは見る者の目が慣れてくると潜像が視認し易くなるのに対し、本考案の複写偽造抑止の隠し模様の潜像部は、線群パターンであるために目視による視認が困難であり、コピー抑止手段が施してあるノートであることを見破るのは容易ではない。
また、著しく細い点線で、紙面に均一な細点を印刷インク（油）でちりばめて仕上げているため、用紙面に文字・画像をボールペンで書く際、紙面から受ける抵抗が低減し、ボールペンのボールがスムースに回転し、画線切れを防ぎ、画線をすべるように、なめらかに描く事ができる。印刷色は、感色性の高い藤色等が好ましい。
【図面の簡単な説明】
【００１１】
【図１】（ａ）本考案の点線傾斜潜像形成線の模式的説明図。（ｂ）潜像部１の拡大図。
【図２】本考案の傾斜潜像形成線の模式的拡大説明図。
【図３】複写機による潜像部の出現状況説明図。
【図４】複写機による潜像部の出現状況説明図。
【考案を実施するための形態】
【００１２】
以下、本考案の複写抑止ノートを図面に基づいて説明する。
傾斜潜像形成線１と潜像パターン部２が視覚的にほぼ同一の濃度になるようにすることによって隠し文字や隠しパターンの潜像パターン部２の存在が認識されないようにするものであり、図１（ａ）は、本考案の複写抑止ノートの用紙の傾斜潜像形成線１の模式的説明図であり、傾斜潜像形成線１が水平に対して３０度傾斜させてある。
【００１３】
図１（ｂ）は、潜像パターン部２における傾斜潜像形成線が４つに分割されている状態の拡大図であり、傾斜潜像形成線１の線幅Ｄは、印刷色によって異なるものとするが、好ましい線幅Ｄは、藤色、藍色、紅色の場合は０．０５０ｍｍ、若草色は０．０４５ｍｍ、墨色０．０５５ｍｍであり、平行する傾斜潜像形成線１の中心間隔Ｗは０．４８ｍｍ、であり、そして、分割傾斜潜像形成線１ａの間隔Ｌ３は０．１２ｍｍであり、肉眼では、潜像パターン部２の４本の線が傾斜潜像形成線１の線幅Ｄと連続する線であるように見えるので、潜像２の存在に気付くことはない。
【００１４】
用紙全面に形成された傾斜潜像形成線１は、傾斜潜像形成線１に交差する線幅０．２８ｍｍ、間隔０．１８ｍｍの白の万線３（図面では空白）を交差角６０度で重ねることによって、傾斜潜像形成線１を点線としている。
更に、潜像パターン部２において、傾斜潜像形成線１は４分割されて分割潜像線１ａとしてあり、４本の分割潜像線１ａが１本の傾斜潜像形成線１に対応し、肉眼では連続した線として認識されるので潜像が形成されていることが認識されない。
【００１５】
図２は、傾斜潜像形成線１を点線とせずに連続線としたものであり、潜像部分または非潜像部分のいずれか一方の部分の傾斜潜像形成線１を四分割したものであり、傾斜潜像形成線１の太さ及び間隔は図１に示したものと同じである。
図３及び図４は、本考案のコピー抑止ノートの用紙の実施例をカラー複写機で複写した複写物を示している。
潜像パターン部のパターンの領域を傾斜潜像形成線１が４分割された分割潜像線１ａとし、これをカラー複写機で複写すると、傾斜潜像形成線１の領域はコピーされるが４分割された分割潜像線１ａの領域はコピーされずに白色となるので白抜きパターン「ＣＯＰＹ」として視認され、複写物であることが判別できる。
更に、ノートの紙面に縦横の線からなる傾斜潜像形成線１と同色の方眼を形成した用紙としてこれを無線綴じのノートにすることによって、ノートに記載された秘匿すべき事項のメモがコピーされて外部に漏出するのを抑止することができる。
【００１６】
図４に示す例は、横罫線のノートとしたものであり、潜像パターン「ＣＯＰＹ」の部分を傾斜潜像形成線１とし、その他の部分は傾斜潜像形成線１を４分割した分割潜像線１ａとしたものである。このノートを複写機でコピーすると、傾斜潜像形成線１の領域はコピーされるが分割潜像線１ａの部分はコピーされず、パターン「ＣＯＰＹ」の部分の傾斜潜像線が複写されるので視認できるようになり、複写物であることが判別可能となる。
【符号の説明】
【００１７】
１    傾斜潜像形成線
１ａ  分割潜像線
２    潜像パターン部
３    白の万線
Ｗ    傾斜潜像形成線の中心間隔
Ｄ    傾斜潜像形成線の線幅
Ｌ１    白の万線の線幅
Ｌ２    白の万線の間隔
Ｌ３    分割潜像線の間隔
【図１】
0003223150.tif 000003
【図２】
0003223150.tif 000004
【図３】
0003223150.tif 000005
【図４】
0003223150.tif 000006